(57)【要約】【課題】高齢者が終の住処として居住し、津波や洪水の被災時は、家族や近隣住民も収容して浮揚することで、生命と財産が守れる浮揚式在宅介護防災シェルタ−を提供する。【解決手段】台船と甲板枠組を隅柱と間柱で繋いだ強固な架構体に、断熱板とヒノキ板で内装して鉄板で覆い、複層ポリウレア樹脂と保護塗料で耐衝撃性と耐環境性を向上させ、船底にバラストを兼ねた飲料水タンクを設置して津波や横波による転覆を防ぎ、ヒノキの芳香が漂う森林浴雰囲気の室内に、介護用の衛生設備と介助装置、ＡＩスピ−カ−、カメラを設置し、高齢者の腕に、健康状況を把握できるウェアラブル端末を装着してＩｏＴに接続し、家族が職場に勤務しながらスマホで観察し、何かがあると在宅医療支援病院および介護サ−ビス支援業者と密接に連携して対応することで、高齢者を安心して在宅介護できるため、現在１０万人前後発生している、介護による家族の離職を防ぐとができる。【選択図】図７
2019011031.tif 000002
【特許請求の範囲】
【請求項１】
鋼板をＬ形に折り曲げた二本の舷側板（１３）を平行に配置して直交する方向で両端に舷渡板（１２）を配置し、下面側に山形鋼の舷底梁（１７）を前記舷渡板（１２）と平行に配置し、前記舷渡板（１２）と前記舷底梁（１７）の間、並びに前記舷底梁（１７）相互の間を連結する平鋼の間張材（１６）を配置し、船底部（５）を底鉄板（２１）で塞いで溶接した台船（１０）と、山形鋼を用いた二本の桁側板（１５）を平行に配置して直交する方向で両端に妻側板（１４）を配置し、上面側に山形鋼の甲板梁（１９）を前記妻側板（１４）と平行に配置し、前記妻側板（１４）と前記甲板梁（１９）との間、並びに前記甲板梁（１９）相互の間を連結する平鋼の前記間張材（１６）を配置して溶接した甲板枠組（１１）と、前記台船（１０）と前記甲板枠組（１１）の室内部（３）の側面にスタッドボルト（４１）を溶接し、隅柱（２４）及び間柱（２５）にヒノキ角材、角鋼管又は山形鋼を用い、ヒノキ角材又は角鋼管からなる前記隅柱（２４）とヒノキ角材又は角鋼管からなる前記間柱（２５）の上下の側面にボルト孔（３０）を穿ち、前記スタッドボルト（４１）を前記ボルト孔（３０）に挿入してナット（４６）で固定する、又は山形鋼からなる前記隅柱（２４）と山形鋼からなる前記間柱（２５）の上下を前記台船（１０）と前記甲板枠組（１１）との間に溶接して固定した剛性が高く強固な架構体（９）から成ることを特徴とする浮揚式在宅介護防災シェルタ−の製造方法。
【請求項２】
前記架構体（９）の前記隅柱（２４）と前記間柱（２５）の室外部（２）側面に壁鉄板（２０）又は繊維強化セメント板（２３）を溶接又はスクリュ−ボルト（３８）で前記架構体（９）に固定し、前記甲板枠組（１１）の上側に断熱板（２９）を敷設して上鉄板（２２）又は前記繊維強化セメント板（２３）を重ねて溶接又は前記スクリュ−ボルト（３８）で前記架構体（９）に固定し、前記室外部（２）と甲板部（４）にプライマ−処理を施して一層目のポリウレア樹脂（３７）を塗装して硬化した塗膜の上から、抜き孔（３１）を開けた傘座（４７）をクギ（３９）又は前記スクリュ−ボルト（３８）で一層目の前記ポリウレア樹脂（３７）の塗膜を前記架構体（９）に強固に固定し、二層目のポリウレア樹脂（３７）を塗装して前記傘座（４７）、前記クギ（３９）、前記スクリュ−ボルト（３８）を挿み一層目の前記ポリウレア樹脂（３７）と一体となって硬化した複層ポリウレア樹脂（４８）に、断熱不燃塗料（３６）を塗装したことを特徴とする請求項１記載の浮揚式在宅介護防災シェルタ−の製造方法。
【請求項３】
前記台船（１０）の前記底鉄板（２１）の上に、飲料水タンク（５０）の骨枠となる網鉄板（４９）で長方形の箱枠を設け、箱枠の外側を前記断熱板（２９）で囲み、箱枠中の底部に前記断熱板（２９）を敷設してその上に前記網鉄板（４９）を重ね、箱の中側にプライマ−処理を施して前記ポリウレア樹脂（３７）を塗装して硬化させた後、箱の中に水を注入してその水面上に直接一層目の前記ポリウレア樹脂（３７）を塗装して硬化させた塗膜の上に前記網鉄板（４９）を敷設して直上に、二層目の前記ポリウレア樹脂（３７）を塗装して前記網鉄板（４９）を挿み一層目の前記ポリウレア樹脂（３７）と一体となり硬化した複層ポリウレア樹脂（４８）の塗膜の上に前記断熱板（２９）を敷設し、箱外側５面の前記断熱板（２９）にプライマ−処理を施してポリウレア樹脂（３７）を塗装して硬化させた後、箱の中の水を排出することで前記底鉄板（２１）の上に、前記飲料水タンク（５０）を設置したことを特徴とする請求項１又は請求項２記載の浮揚式在宅介護防災シェルタ−の製造方法。
【発明の詳細な説明】
【技術分野】
【０００１】  本発明は地震が起因する建物倒壊や津波、異常気象による洪水や高潮などの災害から国民の生命、健康と財産を守る間伐材を用いた浮揚式在宅介護防災シェルタ−の製造分野。浮揚式在宅介護防災シェルタ−内で、高齢者が介護支援を受けながら生活する福祉分野。山林放置のヒノキ小径木を伐採→搬出→利用→植林する循環を創ることで、５兆円規模の新規産業と５０万人の雇用を創出する地域再生で、全国土の強靱化を図る地方創生分野。
【背景技術】
【０００２】  国土面積の７割が森林で、そのうち１割が４０〜５０年前に植林されたヒノキの人工林で現在間伐を必要としている。ヒノキの間伐材は搬出するコストが木材の価格で賄えず、山林内に放置されたまま山林が崩壊していた。地方創生による新な活用法として、浮揚式在宅介護防災シェルタ−にヒノキの間伐材を大量に使用するため、地域の住民に現金収入が得られ、新規木材産業の創生で新な雇用が創出して、過疎化が進行する中山間地域に、都市の若者や健康な高齢者が移り住み、働きながらコミュニティ運営に参画し、多世代と交流しながら溶け込んで中山間地域を再生する、地方創生の具現化が必要であった。【０００３】  古事記で須佐之男命がヒノキで神社を造りヒノキの植林を奨励せよと述べられている。良質なヒノキを育成するために間伐で伐採されたヒノキ小径木の間伐材を使用して、津波や洪水や高潮などに対応できる浮揚式在宅介護防災シェルタ−が注目された。更に、高齢化が急速に進行し介護が必要な高齢者に比べ、介護施設が大幅に不足して自宅で介護せざるを得ない状況である。高齢者の身体機能、医療機関や介護支援業者の状況を考慮して、高齢者が終の棲家として使用できる（別名、息災延命浮揚箱）の要望があった。【０００４】  平成１６年１２月２６日マレ−シア沖で発生した海底大地震に伴い発生した津波によりインド洋沿岸諸国の海岸部では、古今未曾有の１０万人前後の大量の溺死者が発生した。また、平成２３年３月１１日三陸沖の海底大地震に伴い発生した津波により２万人以上に及ぶ大量の溺死者が発生したことは記憶に新しく、その対策として政府は、総合防災ハザ−ドマップを作成し、３種類の避難準備情報・避難勧告・避難指示などの情報を発令し、指定された避難所に避難するよう勧告し被害想定区域を発表した。高齢者が指定の避難所まで避難するには体力的にも限界があった。その解決方法として、浮揚式在宅介護防災シェルタ−の中に避難して生命と財産を守る。また被災後も、浮揚式在宅介護防災シェルタ−が破損せず、継続して高齢者の在宅介護に使用できる製品が必要とされていた。【０００５】  この教訓を踏まえて、今後発生が予想される南海トラフ地震では、最大高さが３５ｍの津波が発生し、その到達時間は静岡県・和歌山県・高知県では３分以内、三重県・徳島県では５分以内、愛知県では９分以内、愛媛県・大分県・宮崎県では２０分以内で到達し、推定死傷者数が３３万人で、そのうち津波による死者数２３万人と公表された。高齢者では避難が困難なために、居住地で津波から高齢者を守る対策が必要であった。そのため、旧約聖書に登場する洪水でアララト山に漂着したノアの方舟伝説を生かして、浮揚式在宅介護防災シェルタ−の中に高齢者が居住して、津波や洪水に被災すると直ちに浮揚し、漂流中には転覆や沈没することが無い。また、甲板部では波間を漂う被災者の水難救助し、上空から早く発見して救助される（別名、無病息災延命箱）が要求されていた。【０００６】  従来は、ＦＲＰで成形された球形殻を重ねて接合した、３人前後を収容する津波避難シェルタ−が提案されている（例えば、特許文献１参照。）この方法は、災害に備えて自宅付近に設置するだけで、転覆による安全性が全く考慮されていな��ことであった。【０００７】  同様に、外板と内板の間にアクリルフォ−ムを挟みＦＲＰで成形された、下筐体と上筐体とをフランジ部で接合した津波対策用シェルタ−が提案されている（例えば、特許文献２参照。）この方法は、アクリルフォ−ムをＦＲＰ皮膜で覆っただけのため脆弱で、建物の倒壊や漂流物との衝突で破損し、火災に遭遇すると燃焼するなどの問題があった。【０００８】  更に、ＦＲＰで成形された底部の下筐体と蓋部の上筐体をフランジ部を密着して接合した津波対策用シェルタ−が提案されている（例えば、特許文献３参照。）この方法では、津波対策用シェルタ−が球形であり、自宅に接続して設置し通常は居室として使用することが困難なため設置する場所が限定される。また、狭くて窮屈であり収容出来る人数も２人前後と少なく津波対策用シェルタ−で長時間滞在することは甚だ困難であった。更に、地震による破損や火災で燃焼するため、不燃強化処理などの対策が必要であった。
【特許文献】
【０００９】
【特許文献１】特開２０１３−８６７８９号公報
【特許文献２】特開２０１４−１５９２１８公報
【特許文献３】特許５５７９３３６号公報
【発明の概要】
【発明が解決しようとする課題】
【００１０】  本発明は従来の津波対策用シェルタ−の問題点を解決すべくなされたものであり、自宅等の空き地に設置して高齢者が終の棲家として居住し、地震やそれが起因する津波、異常気象による洪水や高潮の発生時には、近隣住民も収容して速やかに浮揚し、津波や横波を受けても沈没することなく、漂流中に船舶や燃え盛る漂流物と衝突しても衝撃に耐える防爆性能を有して破損せず、火炎に曝されても類焼を免れて火災から収容者の生命を守る。更に、漂流中には海面を漂い溺れる被災者を水難救助して収容し、上空を飛行中の捜査機から早期に発見されて救助されることで、国民の生命を守り、健康および財産を保護する浮揚式在宅介護防災シェルタ−（公称、無病息災莚命箱）が要求されていた。
【課題を解決するための手段】
【００１１】  本発明の上記目的を達成する第一の解決手段は、鋼板をＬ形に折り曲げた二本の舷側板を平行に配置して直交する方向で両端に舷渡板を配置し、下面に山形鋼の舷底梁を前記舷渡板と平行に配置し、舷渡板と舷底梁との間、並びに舷底梁相互の間を連結する平鋼の間張材を配置し、底面部を底鉄板で塞いで溶接した台船と、山形鋼の二本の桁側板を平行に配置して直交する方向で両端に妻側板を配置し、上面に山形鋼の甲板梁を妻側板と平行に配置し、妻側板と甲板梁との間、並びに甲板梁相互の間を連結する平鋼の間張材を配置して溶接した甲板枠組、台船と甲板枠組の室内部の側面にスタッドボルトを溶接し、ヒノキ角材の隅柱と間柱の上下の側面にボルト孔を穿ち、スタッドボルトを隅柱と間柱のボルト孔に挿入してナットで固定する。又は、山形鋼の隅柱と間柱の上下を台船と甲板枠組との間に溶接した、強固な架構体から成る浮揚式在宅介護防災シェルタ−の製造方法。【００１２】  第二の解決手段は、架構体の隅柱と間柱の室外部の側面に壁鉄板又は繊維強化セメント板を溶接又はスクリュ−ボルトで架構体に固定し、架構体の鋼板枠組の上に断熱板を敷設し、さらに上鉄板又は繊維強化セメント板を重ねて溶接又はスクリュ−ボルトで架構体に固定し、室外部と甲板部にプライマ−処理を施し、一層目のポリウレア樹脂を塗装して硬化した塗膜の上から直接、傘座に抜き孔を開けてクギ又はスクリュ−ボルトで一層目の塗膜を架構体に固定し、一層目の塗膜上に二層目のポリウレア樹脂を塗装して傘座、クギ、スクリュ−ボルトを挿んで一層目の塗膜と一体となって硬化した複層ポリウレア樹脂の上に、断熱不燃塗料を塗装した浮揚式在宅介護防災シェルタ−の製造方法。【００１３】  第三の解決手段は、台船の底鉄板の上に飲料水タンク骨枠となる網鉄板で箱枠を設け、箱枠の外側を断熱板で囲み、箱枠の底部に断熱板その上に網鉄板を敷設し、箱の中側をプライマ−処理を施してポリウレア樹脂を塗装して硬化した後、箱の中に水を満たしてその水面上に直接、一層目となるポリウレア樹脂を塗装して硬化した一層目の塗膜の上に網鉄板を重ね、その上に二層目となるポリウレア樹脂を塗装して網鉄板を挿み、一層目のポリウレア樹脂と一体になり硬化した複層ポリウレア樹脂の塗膜の上に断熱板を重ね、箱の外側にプライマ−処理を施してポリウレア樹脂を塗装して硬化後、箱の中の水を排出して、底鉄板の上に飲料水タンクを設置した浮揚式在宅介護防災シェルタ−の製造方法。【００１４】  上記第一の解決手段による作用は次の通りである。鋼板をＬ形に折り曲げた二本の舷側板を平行に配置して直交する方向で両端に舷渡板を配置し、下面に山形鋼の舷底梁を前記舷渡板と平行に配置し、舷渡板と舷底梁との間、並びに舷底梁相互の間を連結する平鋼の間張材を配置して溶接し、船底部を底鉄板で塞いで溶接した台船と、山形鋼を用いた二本の桁側板を平行に配置して直交する方向で両端に妻側板を配置し、上面に山形鋼の甲板梁を妻側板と平行に配置し、妻側板と甲板梁との間、並びに甲板梁相互の間を連結する平鋼の間張材を配置して溶接した甲板枠組と、台船と甲板枠組との室内部の側面にスタッドボルトを溶接し、ヒノキ角材又は角鋼管を用いた隅柱と間柱の上下の側面にボル���孔を穿ちスタッドボルトを隅柱と間柱のボルト孔に挿入してナットで固定する。又は、山形鋼の隅柱と間柱の上下を台船と甲板枠組との間に溶接することで、剛性が高く強固な架構体を用いて、浮揚式在宅介護防災シェルタ−を製造したものである。【００１５】  上記第二の解決手段による作用は、架構体の隅柱と間柱の室外部の側面に壁鉄板又は繊維強化セメント板を溶接又はスクリュ−釘で架構体に固定し、上部梁組の上側に不燃性断熱板を敷設し、さらに上鉄板又は維強化セメント板を重ねて溶接又はスクリュ−ボルトで架構体に固定し、架構体の室外部と甲板部にプライマ−で下地処理を施し、一層目となるポリウレア樹脂を塗装して硬化した塗膜の上から、抜き孔を開けた傘座をクギ又はスクリュ−ボルトで一層目のポリウレア樹脂の塗膜を架構体に打ち込んで強固に固定し、さらに一層目の塗膜の上に二層目となるポリウレア樹脂を塗装して傘座、釘、スクリュ−ボルトを挿み一体になって硬化した複層ポリウレア樹脂の塗膜の上に断熱不燃塗料を塗装して、様々な災害から防護できる浮揚式在宅介護防災シェルタ−を製造したものである。【００１６】  第三の解決手段による作用は、台船の底鉄板の上に飲料水タンクの骨枠となる網鉄板で長方形の箱枠を設置し、箱枠の外側を断熱板で囲み、箱枠の中の底部に断熱板を敷設しその上に網鉄板を重ね、箱の中側にプライマ−で下地処理を施し、ポリウレア樹脂を塗装して硬化させ後、箱の中に水を満たしてその水面上に直接、一層目となるポリウレア樹脂を塗装して硬化した一層目の塗膜の上に網鉄板を重ねて敷設し、二層目となるポリウレア樹脂を塗装して網鉄板を挿んで一層目のポリウレア樹脂と一体となって硬化した複層ポリウレア樹脂の塗膜の上に断熱板を重ねて敷設し、箱の外側の全面にプライマ−で下地処理を施し、ポリウレア樹脂を塗装して硬化した後、箱の中の水を排出することで、底鉄板の上に飲料水タンクを設置して浮揚式在宅介護防災シェルタ−の製造したものである。
【発明の効果】
【００１７】  上述したように本発明は、山林内に放置されたヒノキ小径木の間伐材を搬出し、角材に製材して乾燥したヒノキ角材を大量に使用して、浮揚式在宅介護防災シェルタ−の軽量化と強靱化を図り、自宅の空き地に設置して高齢者が終の棲家として居住する。また、津波や洪水警報の発令時には、家族や近隣の住民などが浮揚式在宅介護防災シェルタ−の中に避難して防水扉を閉鎖後、浮力により浮揚するため、津波に遭遇しても溺死や沈没せず、様々な災害から国民の生命と財産が守れた。更に、健康を維持することができた。【００１８】  未曾有の天変地異により、今後３０年以内に発生することが予想されている、南海トラフ地震が起因する大津波、異常気象による集中豪雨の発生に伴う河川の氾濫による洪水、台風などによる高潮など大規模な風水害が発生して、被災地で緊急に必要とされる被災者の救護収容施設・避難収容施設・復旧住宅などの災害対策用復旧資材として備蓄保管し、地震・津波・洪水・高潮などの自然災害の発生時には、浮揚式在宅介護防災シェルタ−を災害地にトラックで運搬して、設置するだけで直ちに使用することができた。【００１９】  復層ポリウリア樹脂で被覆された、不燃構造の浮揚式在宅介護防災シェルタ−は、水害時に被災者を収容して浮揚し、漂流中には、燃え盛る浮遊物や船舶などと激突しても破壊や延焼せず、大波を被っても飲料水タンクのバラスト効果で沈没せず、収容した被災者の生命と財産を守ることができる。浮揚して漂流中は、視認性が良いインタ−ナショナルオレンジ色の滑り止が施された甲板上で、波間を漂い溺れている被災者を水難救助と被災者の一時待機場所として使用し、上空から捜査中の航空機から早く発見されて救助される。また、被災後は浮揚式在宅介護防災シェルタ−が被災時に一切損傷しないため、曳航して陸地に設置し、電力と給排水の接続だけで高齢者の在宅介護施設として使用できた。【００２０】  急速に高齢化が進行して介護が必要な高齢者の増加に比べ、介護施設が大幅に不足して自宅で介護をせざるを得ない状況である。自宅での介護は、家族の体力消耗や精神的負担と自宅の段差解消や衛生設備の改修が必要で改造費用も高額で困難である。浮揚式在宅介護防災シェルタ−を自宅に設置して、室内に介護用の衛生設備、移動介助装置、カメラ、ＡＩスピ−カ−と高齢者の腕に健康状況を把握するウェアラブル端末を装着してＩｏＴに接続し、家族が職場に勤務しながらスマホで観察でき、何かがあると、在宅医療支援病院および介護サ−ビス支援業者と緊密に連携して対応できるため、現在介護を理由として、年間１０万人前後発生している、高齢者介護による家族の離職を防ぐことができた。【００２１】  浮揚式在宅介護防災シェルタ−の主材料に、中山間地域の山林内に放置されたヒノキ小径木の間伐材を伐採して大量に使用するエコシステムを確立させて、地域住民が現金収入を得られる。浮揚式在宅介護防災シェルタ−の製造で、地域の木工経験者の指導によって未経験の若者・高齢者・婦女子が習得した木工技術で、汎用の電動工具を使用し安全に製造できる。過疎化と高齢化が急速に進行している過疎地域に、都市部の若者や健康な高齢者が移住して、浮揚式在宅介護防災シェルタ−の製造に従事し��がら、社会活動や生涯学習などに積極的に参加し、地域に溶け込んで多世代と交流することで、地方創生による新規産業の創出により、中山間地域を再生して活性化することができた。【００２２】  中山間地域の山林内で立木の段階から、立木を育成管理する間伐作業を計画的に行い、伐採した間伐材の搬出作業、間伐材を角材に製材し、乾燥した角材を用いた浮揚式在宅介護防災シェルタ−を製造し、消費者の手に届く迄のサプライチェ−ン改革を図り、中山間地域の森林でヒノキを間伐して、植林すると言う循環による山林の維持管理で、山林内の腐葉土が増え、山林の持つ水源涵養能力が向上するため、山林表土の流出による土石流の発生を防止して日本国土の強靱化を図り、林業の再生に資することができた。【００２３】  浮揚式在宅介護防災シェルタ−にヒノキ間伐材を用いるため、ヒノキ独特の色艶と独特の芳香が漂う爽やかな雰囲気で、高気密と高断熱の外に湿度調節作用で、夏涼しくて冬温かな健康空間のためメンタルヘルス分野のサイコセラピ−治療室として。更に、東京オリンピックや大阪万国博覧会で、海外の観光客やバックパッカ−の増加による宿泊室の不足に対応するため、政府は一般住宅の民泊を奨励しているが、一般住宅では宿泊施設として不備であり、浮揚式在宅介護防災シェルタ−の室内に浴室、トイレ、洗面台、スプリンクラ−等を完備し、旅館業法の基準を満たした宿泊施設として提供できた。【００２４】  日本が京都議定書で約束した二酸化炭素の森林吸収目標の達成は、間伐材の利用方法が無いためバイオマス発電の奨励と、間伐材を伐採して苗木を値える維持管理が挫折して森林吸収による二酸化炭素の削減が困難であった。浮揚式在宅介護防災シェルタ−を製造する新規産業による地方創生により、間伐材を伐採して使う→植える→育てる→伐採する→使うという、好循環するエコシステムを構築し持続可能な循環型社会が形成されるため、二酸化炭素の森林吸収目標に寄与して、地球の温暖化防止に貢献することができた。【００２５】  国内の刑務所では六万人前後の男子受刑者が、懲役刑のため刑務官の指導で改善更生して円滑に社会復帰する処遇方策として、心身の健康を維持し勤労精神を養成しながら、木工関連の職業的知識及び技能習得を目的とし刑務作業に従事している。刑務作業で浮揚式在宅介護防災シェルタ−を造りながら習得した木工知識と加工技能の付与により、受刑者の円滑な社会復帰が促進される。更に、懲役刑の執行を終わり祉会に復帰した後、浮揚式在宅介護防災シェルタ−の製作で収入が得られ、受刑者の再犯罪を防ぐこともできた。
【図面の簡単な説明】
【００２６】
【図１】  本発明の浮揚式在宅介護防災シェルタ−の斜視図である。
【図２】  同発明に於ける架構体の構成図である。
【図３】  同発明に於ける架構体の斜視図である。
【図４】  同発明に於ける傘座とクギの斜視図である。
【図５】  同発明に於ける飲料水タンクの断面図である。
【図６】  同発明に於ける内部構造を示す断面図である。
【図７】  同発明に於ける実施形態を示す断面図である。
【発明を実施するための形態】
【００２７】  本発明の浮揚式在宅介護防災シェルタ−の実施例を図１〜図７を用いて説明する。図示の実施例はあくまでも一実施例であって、本発明を限定するものではない。
【００２８】  浮揚式在宅介護防災シェルタ−１を図１〜図６を用いて詳細に説明する。鋼板をＬ字形に折り曲げた二本の舷側板１４を平行に配置して、直交する方向で両端に舷渡板１２を平行に配置して、下面側に山形鋼の舷底梁１７を舷渡板１２と平行に配置して、舷渡板１２と舷底梁１７との間及び舷底梁１７相互の間を連結する平鋼の間張材１６を配置して、船底部５を１ｍｍ前後の底鉄板２１で塞いで溶接した台船１０の底鉄板２１の上に飲料水タンク５０を設置した台船１０と、同様に山形鋼を用いた二本の桁側板１５を平行に配置して直交する方向で両端に妻側板１４を平行に配置して、上面側に山形鋼の甲板梁１９を妻側板１４と平行に配置し、妻側板１４と甲板梁１９との間、及び甲板梁１９相互の間を連結する平鋼の間張材１６を配置して溶接した強固な甲板枠組１１である。尚、Ｌ字形の舷側板１３の垂直高は浮揚して安全に漂流できる満水喫水線以上の高さ約３０ｃｍを確保する。更に、舷底梁１７、甲板梁１９、間張材１６の数は任意に増設することができる。
【００２９】  台船１０並びに甲板枠組１１の室内部３の側面に１２ｍｍのスタッドボルト４１を溶接して固定し、山林に放置された未利用な資源であるヒノキ小径木の間伐材を山林内から里山まで搬出して、中山間地域の製材所で製材して含水率１２％前後まで乾燥したヒノキ角材又は角鋼管の隅柱２４及び間柱２５の上端と下端の側面に１２ｍｍのボルト孔３０を穿ち、スタッドボルト４１を隅柱２４と間柱２５のボルト孔３０を介して挿入しナット４６で台船１０と甲板枠組１１に強固に固定する。又は、山形鋼を用いた隅柱２４と間柱２５の上下を台船１０と甲板枠組１１に溶接し固定することで剛性があり強固な架構体９となる。尚、間柱２５の本数は浮揚式在宅介護防災シェルタ−の長さ、使用する用途、設置する場所に応じて任意に増設することができる。
【００３０】  浮揚式在宅介護防災シェルタ−１の架構体９に固定した隅柱２４と間柱２５の室外部２の側面に１ｍｍ前後の壁鉄板２０又は繊維強化セメント板２３（例えば、フレキシブル板、珪酸カルシウム板など。）を隅柱２４と間柱２５に溶接又はスクリュ−ボルト３８で固定する。架構体９の甲板部４には断熱板２９（例えば、フェノ−ルフォ−ム、ポリウレタンフォ−ム、ガラス繊維板など。）を接着して固定する、その上に上鉄板２２又は繊維強化セメント板２３を溶接又はスクリュ−ボルト３８で架構体９に固定し、室外部２と甲板部４の全面にプライマ−処理を施して一層目となるポリウレア樹脂３７を塗装して硬化した塗膜に図４の斜視図に示す、抜き孔３１を開けた傘座４７をクギ３９又はスクリュ−ボルト３８で架構体９に固定し、二層目となるポリウレア樹脂３７を塗装して、傘座４７クギ３９又はスクリュ−ボルト３８を挿んで一体になって硬化した複合ポリウレア樹脂４８の上に、断熱不燃塗料３６を塗装して浮揚式在宅介護防災シェルタ−を保護する。
【００３１】  浮揚式在宅介護防災シェルタ−に設置した飲料水タンクの５０の製作工程を図５〜図６で詳細に説明する。二本の舷側板１３を平行に配置し直交する方向で両端に舷渡板１２を配置し、下面側に山形鋼の舷底梁１７を舷渡板１２と平行に配置し、舷渡板１２と舷底梁１７との間、並びに舷底梁１７相互間を連結する平鋼の間張材１６を配置し船底部５を底鉄板２１で塞いで溶接した台船１０の、舷底梁１７と間張材１６の室内部３側に束ボルト４５を溶接して固定し、束ボルト４５の外側に網鉄板４９（例えば、エキスパンドメタル板、パンチングメタル板など。）で長方形の箱枠を配置して飲料水タンクの５０の骨格を形成し、箱枠外側の４側面を断熱板２９で取り囲む。
【００３２】  網鉄板４９で長方形に囲まれた箱枠中の底部に断熱板２９を敷いて網鉄板４９を重ね、箱の中にプライマ−処理を施した後、ポリウレア樹脂３７を塗装して硬化した後、箱の中を水で満たしたその水面に直接一層目となるポリウレア樹脂３７を塗装して硬化した塗膜の上に網鉄板４９を重ね、二層目となるポリウレア樹脂３７を塗装して網鉄板４９を挿んで一体になって硬化した複層ポリウレア樹脂４８塗膜上に、更に断熱板２９を重ねて、箱の外側の全面にポリウレア樹脂３７を塗装して硬化の後、箱の中の水を排出することで、耐水圧性能と断熱性を有した衛生的な飲料水タンク５０を底鉄板２１の上に設置する。
【００３３】  浮揚式在宅介護防災シェルタ−１の架構体９は、５ｍｍ以上の汎用鋼板をＬ字形に折り曲げて用いた舷側板１３と舷渡板１２の室内部３の側面にスタッドボルト４１を溶接し、同様に甲板枠組１１の桁側板１５と妻側板１４の室内部３の側面部にスタッドボルト４１を溶接し、山林内に放置きれたヒノキの間伐材を搬出して製材して乾燥させた角材又は角鋼管の隅柱２４並びに間柱２５の上端と下端の側面にボルト孔３０を穿ち、台船１０と甲板枠組１１とを隅柱２４と間柱２５のボルト孔３０にスタッドボルト４１を挿入してナット４６で固定する、又は山形鋼を用いた隅柱２４と間柱２５を台船１０と甲板枠組１１に溶接して強固な架構体９を構築する。尚、間柱２５は用途に応じて増設できる。
【００３４】  架構体９の隅柱２４と間柱２５の室外部２側に壁鉄板２０又は繊維強化セメント板２３を溶接又はスクリュ−ボルト３８で固定し、甲板梁組１１の甲板部４の上側に断熱板２９を接着し、上鉄板２２又は繊維強化セメント板２３を敷設して溶接又はスクリュ−ボルト３８で固定する。室外部２と甲板部４の全面にプライマ−処理を施し、一層目のポリウレア樹脂３７を塗装して硬化した後、抜き孔３１を設けた傘座４７をクギ３９又はスクリュ−ボルト３８で室外部２と甲板部４に固定し、二層目のポリウレア樹脂３７を塗装して、傘座４７、クギ３９又はスクリュ−ボルト３８を挿んで一体となって硬化した複層ポリウレア樹脂４８塗膜の上に、断熱不燃塗料３６を塗装して耐衝撃防水処理と断熱不燃処理を施して、地震津波などによる衝撃と、火災や燃焼漂流物からの延焼に耐えて、津波や洪水の被災時には直ちに浮揚して、浮揚式在宅介護防災シェルタ−１を防護する。
【００３５】  底鉄板２１に溶接した束ボルト４５の外側に、タンクの骨格となる網鉄板４９を長方形の箱を配置して外側を断熱板２９で覆い、箱の中底の束ボルト４５に断熱板２９を挿入して網鉄板４９を重ね、箱の中側をプライマ−処理してポリウレア樹脂３７を塗装して硬化した後、箱の中を水で満たして、その水面上に直接一層目となるポリウレア樹脂３７を塗装し、硬化した塗膜から突き出た束ボルト４５に網鉄板４９を挿入し、二層目となるポリウレア樹脂３７を塗装して網鉄板４９を挿んで一体化となって硬化した復層ポリウレア樹脂４８塗膜の上に断熱板２９を重ね、外側全体にポリウレア樹脂３７を塗装して硬化後、箱の中の水を外部に排出して、底鉄板２１の上に飲料水タンク５０を設置する。
【００３６】  飲料水タンク５０から突出した束ボルト４５に、ヒノキ小径木を角材に製材し乾燥した大引３２を挿入してナット４６で固定し根太３３を配置して、ヒノキ間伐材を製材し乾燥して加工したヒノキ床板２７で床面部６を施工する。又は、根太３３に代えて１５ｍｍ厚の構造用合板を固定してヒノキ床板２７で床面部６を仕上げる。隅柱２４と間柱２５の室内部３の側にヒノキ小径木を製材して乾燥後に加工したヒノキ壁板２６を接着剤と釘で横張方向に施工し、天井部７に垂木３４を配置してヒノキ小径木を製材して乾燥後に加工したヒノキ天井板２８を施工することで、室内部３の全てがヒノキ間伐材で内装されるため、ヒノキの爽やかな芳香が室内全体に漂う、浮揚式在宅介護防災シェルタ−１となる。
【００３７】  架構体９の室外部２に壁鉄板２０又は繊維強化セメント板２３を隅柱２４と間柱２５に溶接又はスクリュ−ボルト３８で固定する。架構体９の甲板部１１に断熱板２９を敷設して上鉄板２２又は繊維強化セメント板２３を覆って溶接又はスクリュ−ボルト３８で固定する。架構体９の外側全面にプライマ−処理を施し、一層目のポリウレア樹脂３７を塗裝して硬化した塗膜に、抜き孔３１を開けた傘座４７をクギ３９又はスクリュ−ボルト３８で架構体９に固定した後、二層目のポリウレア樹脂３７を塗り重ね硬化させると複層ポリウレア樹脂４８の塗膜が形成される。一層目の塗装作業でポリイソシアネ−トとポリアミンとが混合されるとポリウレア樹脂３７の生成反応に伴う反応熱でプライマ−との間に蒸気が発生して化学的固定が損なわれるが、傘座４７の抜き孔３１はクギ３９又はスクリュ−ボルト３８の周囲から蒸気が排出されるために改善される、一層目と二層目のポリウレア樹脂３７の間に挿まれた傘座４７、クギ３９又はスクリュ−ボルト３８は一体となって架構体９に固定されるため、諸物性に優れた複層ポリウレア樹脂４８の塗膜となる。
【００３８】  複層ポリウレア樹脂４８の塗膜が形成された浮揚式在宅介護防災シェルタ−１外面に断熱不燃塗料３６（例えば、球形セラミック配合アクリルシリコン樹脂など。）を塗装し、更に、甲板部４には滑り止め用の骨材（例えば、細い川砂、樹脂ビ−ズなど、）を配合した断熱不燃塗料３６を塗装して安全性を確保する。洪水や津波などの水害に被災し浮揚式在宅介護防災シェルタ−１が浮揚して海面を漂流中の甲板部４の上では、波間を漂い溺れている被災者の水難救助活動が安全で敏速に行える。また、収容した被災者の一時退避の場所としても使用する事ができる。更に、甲板部４の色調は視認性のよい色彩の国際規格であるインタ−ナショナルオレンジ色に塗装されており、上空から被災地を捜索中のヘリコプタ−などから、海面を漂流中に素早く発見されて救助される。
【００３９】  我が国は今や世界一の長寿国であり、高齢者の増加に比べ、介護施設が大幅に不足して自宅で高齢者を介護せざるを得ない状況である。自宅で高齢者を介護するには介護する家族（特に女性。）の体力消耗や精神的な負担も多くその改善が求められている。自宅を改造して高齢者を介護するには、室内の段差の解消、ヒ−トショック対策、浴室、洗面台、トイレ、移動介助装置の設置などの大幅な改造を要する。また建物の構造や経済的な理由で改造が困難な場合は、浮揚式在宅介護防災シェルタ−を設置するだけで高齢者を在宅介護でき、併せて、家族の介護による離職を防ぐように以下の配慮がなされている。
【００４０】  浮揚式在宅介護防災シェルタ−１の概要を図７で説明する。国際規格の一般貨物コンテナＪＩＳＺ１６１８−１９７９規格に準じ設置場所や用途により長さ６ｍ〜１０ｍ前後、幅２．４ｍ高さ２．７ｍで室内高２．４ｍの室内部３には、介護用のトイレ５３、浴槽５４、洗面台５５、電動ベット６８、ＡＩスピ−カ−（図示せず）を設置する。天井部７には、移動介助装置６６とカメラ（図示せず）を備え、高齢者の腕に健康状態（例えば、脈拍・血圧・呼吸など。）を把握するウェアラブル端末を装着してＩｏＴに接続し、家族や世帯者が職場に勤務しながら、スマ−トホンで高齢者の健康状況を観察でき、高齢者の状況に何かがあると、在宅医療支援病院および介護支援サビス業者と密接に連絡を取りあって対処できるため、安心して高齢者を在宅介護できる。また在宅介護を理由として、年間約１０万人前後発生している、家族の在宅介護による離職を防ぐことができる。
【００４１】  ヒノキを使用した床面部６は段差のないフラットな床面で壁面には手摺りが設置され、高齢者は支障なく歩行または車椅子で移動でき、入浴のほか洗顔や排便が快適にできる。また、車椅子が使えない高齢者は、天井部７に設置された電動移動介助装置６６に吊設された着座具に高齢者７１を座らせて介護ヘルパ−が操作して移動できるため、介護ヘルパ−の負担を軽減して介護サ−ビスを受けることができる。また、天井部７のスプリンク−ラ−（図示せず）は、火災を感知すると自動的に散水して消化することができる。
【００４２】  浮揚式在宅介護防災シェルタ−の入り口には防水扉５１、室内には高齢者が快適に居住するため採光用の防水窓６９、換気用の防水換気扇７０等が設置されている。また、津波や洪水などの非難警報の発令時には、家族や近隣住民の高齢者や障害者などが、短時間に浮揚式在宅介護防災シェルタ−１の室内部３に避難して防水扉５１を閉じて収容し、津波洪水などの被災が予想されると、家族や近隣住民を収容して設置した場所から迅速に浮揚するため、逃げ遅れて津波や洪水に遭遇して被災による溺死を防ぐことができる。また、側面の舷渡板１２と舷側板１３の高さは、浮揚式在宅介護防災シェルタ−１の満載喫水線高さ２５ｃｍ以上の３０ｃｍで、更にその上の位置に防水扉５１が設置され、漂流中に津波や横波を被って傾いても、室内部３には浸水しないように配慮がなされている。
【００４３】  浮揚式在宅介護防災シェルタ−１は、台船１０の船底部５を底鉄板２１で塞いだ水密構造で、台船１０と一体となり津波や横波による前記浮揚式在宅介護防災シェルタ−１の転覆を防止して安定させるバラストを兼ねた、幅１ｍ高さ２５ｃｍ長さ４ｍ前後の常時満水状態の貯水量１０００ｌ前後で重量一屯前後の飲料水タンク５０を設置し、片端に２ｍ前後の衛生設備の設置スペ−ス６７を設けて高齢者介護の浴槽５４、洗面台５５、トイレ５３などの衛生設備を設置して給排水配管（図示せず。）の接続工事を施工する。床面部６と底鉄板２１との３０ｃｍ前後の床下空間には、飲料水タンク５０や備蓄食料の収納スペ−ス等が確保されている。室内部３には電動ベット６８の他、調理台や流し台などを設置して高齢者が終の棲家として居住し、津波や高潮および洪水などに被災すると、浮揚式在宅介護防災シェルタ−１が浮力により直ちに浮揚することで、高齢者や家族、避難して収容した近隣住民の尊い生命を守り、併せて、貴重な財産を保護することができる。
【００４４】  床下の底鉄板２１の上に設置された貯水量１０００ｌ前後の飲料水タンク５０は、断熱板２９をポリウレア樹脂３７で被覆しタンク内からの熱伝達を防いで結露を防止した衛生的な構造の飲料水タンク５０である。更に、公設の水道管から離脱が自在なフレキシブル管（図示せず。）で、給水配管の途中に逆流防止弁６５を介在して直圧で、飲料水貯蔵タンク５０は常時満水状態に維持できるよう配管されている。被災時には、浮揚式在宅介護防災シェルタ−１が浮揚してフレキシブル管は離脱するが、逆流防止弁６５で遮断されるため飲料水タンク５０からは一切外部に漏水しない構造で、災害の収束した後に、被災地で最も必要な飲料水が貯留され、被災者に清潔な飲料水として提供できる。
【００４５】  浮揚式在宅介護防災シェルタ−１の転覆による沈没を防止する飲料水タンク５０は、常時貯水量が１０００ｌの満水状態で重量１屯前後のバラスト効果により、浮揚式在宅介護防災シェルタ−１が高潮や洪水や津波などに被災し、浮揚して海面を漂流中に、津波や波浪などの大きな横波を受けて傾斜しても、バラストによる復元力が確保されているため、横揺れ（ロ−リング）や船首揺れ（ヨ−イング）などで、揚式在宅介護防災シェルタ−１が転覆や沈没しない構造であり、収容者が精神的に不安を感じないよう配慮されている。さらに、浮揚式在宅介護防災シェルタ−１が複合ポリウレア樹脂４８で防水断熱処理が施されているため、室内部３に海水の浸水を完全に防いだ水密構造で、収容者が閉鎖な空間による心理的な不安を払拭させ、安心して室内部３で救助を待つことができる。
【００４６】  複合ポリウレア樹脂４８で処理された浮揚式在宅介護防災シェルタ−１の室外部２は、周囲に馴染む淡い色彩の断熱不燃塗料３６を塗布し、甲板部４は滑り止め処理が施されて国際規格のインタ−ナショナルオレンジ色の断熱不燃塗料３６を塗布した安全な甲板部４上では、漂流中に海面を漂う被災者の水難救助活動が安全で敏速に行える。また、人命救助した水難被災者を一時待機の場所として使用できる。更に、甲板部４は上空から視認性が良い色彩のため、上空から水難者を捜査中の救難機から素早く発見されて救助される。被災後は、船舶で曳航され指定された岸壁まで移動して陸上に設置するが、浮揚式在宅介護防災シェルタ−１は被災時に一切損傷しない強固な構造のため、電力と給排水管を接続するだけで、直ちに高齢者の在宅介護施設として使用することができる。
【産業上の利用可能性】
【００４７】  超高齢化と人口減少は日本が直面する喫緊の課題で、中山間地域ではより深刻である。里山版ＣＣＲＣ構想は、都市部の若者と健康な高齢者が中山間地域に居住を基本として移住し、社会活動や生涯学習の支え手として地域社会に溶け込み、多世代と交流し働くことである。そのため、企業・大学・自治体が連携した里山版ＣＣＲＣ構想の推進が必要で、特に過疎化が急速な中山間地域で、地域資源のヒノキ間伐材を有効に利用して、林業と木材産業を振興させる地方創生のモデル事例〔浮揚式在宅介護防災シェルタ−〕の製造を、全国の過疎地域に啓蒙普及させることで、中山間地域を活性化させることができる。
【符号の説明】
【００４８】  １  浮揚式在宅介護防災シェルタ−    ２  室外部
３  室内部                          ４  甲板部
５  船底部                          ９  架構体
１０  台船                          １１  甲板枠組
１２  舷渡板                        １３  舷側板
１４  妻側板                        １５  桁側板
１６  間張材                        １７  舷底梁
１９  甲板梁                        ２０  壁鉄板
２１  底鉄板                        ２２  上鉄板
２３  繊維強化セメント板            ２４  隅柱
２５  間柱                          ２９  断熱板
３０  ボルト孔                      ３１  抜き孔
３６  断熱不燃塗料                  ３７  ポリウレア樹脂
３８  スクリュ−ボルト              ３９  クギ
４１  スタッドボルト                ４６  ナット
４７  傘座                          ４８  複層ポリウレア樹脂
４９  網鉄板                        ５０  飲料水タンク
６５  逆流防止弁                    ６６  電動移動介助装置
【図１】
2019011031.tif 000003
【図２】
2019011031.tif 000004
【図３】
2019011031.tif 000005
【図４】
2019011031.tif 000006
【図５】
2019011031.tif 000007
【図６】
2019011031.tif 000008
【図７】
2019011031.tif 000009